(57)【特許請求の範囲】
【請求項１】
通信ネットワークの通信デバイスによって実行される方法であって、
隣接セルリストから複数の隣接セルのセル帯域幅を得ること、
取得した複数のセル帯域幅の中から最小セル帯域幅を求めること、
求められた最小セル帯域幅に基づいて移動通信デバイスに最大測定帯域幅を通知することを含む、通信ネットワークの通信デバイスによって実行される方法。
【請求項２】
前記セル帯域幅を得ることは、前記移動通信デバイスに関連付けられるサービス提供するセルのセル帯域幅を含む、請求項１に記載の方法。
【請求項３】
求められた測定帯域幅にわたって前記移動通信デバイスから測定報告を受信することをさらに含む、請求項１又は２に記載の方法。
【請求項４】
新たな隣接セルのためのセルＩＤを受信すること、
前記新たな隣接セルに対応する基地局との接続を確立すること、
前記基地局から、前記新たな隣接セルのためのセル帯域幅情報を受信することをさらに含む、請求項１〜３のいずれか一項に記載の方法。
【請求項５】
前記新たな隣接セルのためのセルＩＤを受信することは、前記移動通信デバイスから前記セルＩＤを受信する、請求項４に記載の方法。
【請求項６】
受信されたセル帯域幅情報を前記通信デバイスのデータ記憶装置内に格納することをさらに含む、請求項４又は５に記載の方法。
【請求項７】
移動通信デバイスにおいて実行される方法であって、
関連付けられる通信デバイスから、最大測定帯域幅を特定するシグナリング情報を受信すること、
隣接セルを検出すること、
前記シグナリング情報によって特定された前記最大測定帯域幅を超えない帯域幅にわたって、前記隣接セルからの信号に対する測定を実行することを含む、移動通信デバイスにおいて実行される方法。
【請求項８】
前記受信されたシグナリング情報は、ＲＲＣ制御メッセージにおいて受信される、請求項７に記載の方法。
【請求項９】
前記測定を実行することは、前記関連付けられる通信デバイスとの間でデータを送受信する間に前記測定を実行する、請求項７又は８に記載の方法。
【請求項１０】
前記隣接セルを検出することは、前記隣接セルから信号を受信することを含む、請求項７〜９のいずれか一項に記載の方法。
【請求項１１】
前記関連付けられる通信デバイスに、信号の送信元である隣接セルを通知することをさらに含む、請求項１０に記載の方法。
【請求項１２】
前記シグナリング情報を受信するステップは、前記関連付けられる通信デバイスの前記帯域幅とは異なる測定帯域幅を特定するシグナリング情報を受信し、さらに、前記測定を実行するステップは、前記シグナリング情報によって特定された帯域幅にわたって前記関連付けられる通信デバイスからの信号に対する測定を実行する、請求項７〜１１のいずれか一項に記載の方法。
【請求項１３】
前記シグナリング情報を受信するステップは、前記関連付けられる通信デバイスによって求められる最小セル帯域幅に相当する測定帯域幅を特定するシグナリング情報を受信する、請求項７〜１２のいずれか一項に記載の方法。
【請求項１４】
通信デバイスであって、
隣接セルリストから複数の隣接セルのセル帯域幅を得る手段と、
取得した複数のセル帯域幅の中から最小セル帯域幅を求める手段と、
求められた最小セル帯域幅に基づいて移動通信デバイスに最大測定帯域幅を通知する手段と、
を備える通信デバイス。
【請求項１５】
前記セル帯域幅を得る手段は、前記移動通信デバイスに関連付けられるサービス提供するセルのセル帯域幅を含むために配置される、請求項１４に記載の通信デバイス。
【請求項１６】
求められた測定帯域幅にわたって前記移動通信デバイスから測定報告を受信する手段をさらに含む、請求項１４又は１５に記載の通信デバイス。
【請求項１７】
新たな隣接セルのためのセルＩＤを受信する手段と、
前記新たな隣接セルに対応する基地局との接続を確立する手段と、
前記基地局から、前記新たな隣接セルのためのセル帯域幅情報を受信する手段をさらに含む、請求項１４〜１６のいずれか一項に記載の通信デバイス。
【請求項１８】
前記新たな隣接セルのためのセルＩＤを受信する手段は、前記移動通信デバイスから前記セルＩＤを受信するために配置される、請求項１７に記載の通信デバイス。
【請求項１９】
受信されたセル帯域幅情報を前記通信デバイスのデータ記憶装置内に格納する手段をさらに含む、請求項１７又は１８に記載の通信デバイス。
【請求項２０】
移動通信デバイスであって、
関連付けられる通信デバイスから、測定帯域幅を特定するシグナリング情報を受信する手段と、
隣接セルを検出する手段と、
前記シグナリング情報によって特定された前記帯域幅にわたって、前記隣接セルからの信号に対する測定を実行する手段と、を備える移動通信デバイス。
【請求項２１】
前記シグナリング情報を受信する手段は、前記シグナリング情報を測定制御メッセージにおいて受信するように動作することができる、請求項２０に記載の移動通信デバイス。
【請求項２２】
前記測定を実行する手段は、前記関連付けられる通信デバイスとの間でデータを送受信する間に前記測定を実行する、請求項２０又は２１に記載の移動通信デバイス。
【請求項２３】
前記隣接セルを検出する手段は、前記隣接セルから信号を受信する手段を備える、請求項２０〜２２のいずれか一項に記載の移動通信デバイス。
【請求項２４】
前記関連付けられる通信デバイスに、信号の送信元である隣接セルを通知する手段をさらに備える、請求項２３に記載の移動通信デバイス。
【請求項２５】
前記シグナリング情報を受信する手段は、前記関連付けられる通信デバイスの前記帯域幅とは異なる測定帯域幅を特定するシグナリング情報を受信するように動作することができ、さらに、前記測定を実行する手段は、前記シグナリング情報によって特定された帯域幅にわたって前記関連付けられる通信デバイスに対する測定を実行するように動作することができる、請求項２０〜２４のいずれか一項に記載の移動通信デバイス。
【請求項２６】
前記シグナリング情報を受信する手段は、前記関連付けられる通信デバイスによって求められる最小セル帯域幅に相当する測定帯域幅を特定するシグナリング情報を受信するように動作することができる、請求項２０〜２５のいずれか一項に記載の移動通信デバイス。
【請求項２７】
プログラマブルコンピュータデバイスが請求項１〜１３のいずれか一項に記載の方法を実行するためのコンピュータ実施可能命令を含むプログラム。
【発明の詳細な説明】
【技術分野】
【０００１】
本発明は、移動通信ネットワークに関し、特に限定はされないが、３ＧＰＰ標準規格、又はその等価物若しくは派生物に従って動作するネットワークに関する。
【背景技術】
【０００２】
移動通信ネットワークでは、ユーザ装置（ＵＥ）がネットワークに接続しているとき（ＲＲＣ＿ＣＯＮＮＥＣＴＥＤ状態）、不連続の時間期間においてデータを受信及び／又は送信するようにユーザ装置を構成することができ、その時間期間の持続時間及び周波数は基地局（ｅＮｏｄｅＢ）によって制御される。この不連続の受信／送信はＤＲＸ／ＤＴＸと呼ばれ、基地局との間でデータを受信及び／又は送信してはいけないことになっている期間中にＵＥがそのトランシーバ回路をオフにし、それにより消費電力を低減できるようにする。さらに、ＵＥがデータを受信するようにスケジュールされない期間中に、何回かの信号強度測定を実行して、ネットワークが、周波数間（例えば、異なる周波数において動作しているセル間の）ハンドオーバ、又はネットワーク間（ＲＡＴ）（例えば、ＵＭＴＳからＧＳＭ（登録商標）への）ハンドオーバを行なうのを支援することも要求される。ＲＡＮ１における現在の作業仮説は、隣接セルの帯域幅に関係なく、これらの測定のためのＵＥの測定帯域幅が１．２５ＭＨｚ（６リソースブロックに相当する）になるということである。
【発明の概要】
【発明が解決しようとする課題】
【０００３】
本発明は、帯域幅にわたってさらに効率的な測定を行なうことができるように、ＵＥのための代替の構成を提供することを目的とする。
【課題を解決するための手段】
【０００４】
一態様によれば、本発明は、通信ネットワークの通信デバイスによって実行される方法であって、隣接セルのセル帯域幅を求め、移動通信デバイスのための測定帯域幅を求めるために前記セル帯域幅を処理し、前記求められた測定帯域幅を移動通信デバイスに通知することを含む、通信ネットワークの通信デバイスによって実行される方法を提供する。
【０００５】
その処理ステップは、セル帯域幅を処理して最小セル帯域幅を求めることができ、その後、その最小セル帯域幅を用いて、移動通信デバイスのための測定帯域幅を求めることができる。測定帯域幅を考慮する際、本方法は、サービス提供するセルの帯域幅も考慮に入れる。
【０００６】
また、本発明は、新たな隣接セルのためのセルＩＤ（識別データ）を受信し、その新たなセルに対応する基地局との接続を確立し、その基地局から、その新たな隣接セルに関するセル帯域幅情報を受信することも含むことができる。新たなセルのためのセルＩＤは、移動通信デバイスから受信され得る。
【０００７】
本発明の別の態様は、移動通信デバイスにおいて実行される方法であって、関連付けられる通信デバイスから、測定帯域幅を特定するシグナリング情報を受信し、隣接セルを検出し、シグナリング情報によって特定された帯域幅にわたって、隣接セルからの信号に対する測定を実行することを含む、移動通信デバイスにおいて実行される方法を提供する。受信されたシグナリング情報は、移動通信デバイスのための測定帯域幅の再構成を規定する場合がある。それらの測定値は、関連付けられる通信デバイスとの間でユーザデータを送受信する間に得られることが好ましい。
本発明の好ましい態様によれば、通信ネットワークの通信デバイスによって実行される方法であって、隣接セルリストから複数の隣接セルのセル帯域幅を得ること、取得した複数のセル帯域幅の中から最小セル帯域幅を求めること、求められた最小セル帯域幅に基づいて移動通信デバイスに最大測定帯域幅を通知することを含む、通信ネットワークの通信デバイスによって実行される方法が提供される。
本発明の別の好ましい態様によれば、移動通信デバイスにおいて実行される方法であって、関連付けられる通信デバイスから、最大測定帯域幅を特定するシグナリング情報を受信すること、隣接セルを検出すること、前記シグナリング情報によって特定された前記最大測定帯域幅を超えない帯域幅にわたって、前記隣接セルからの信号に対する測定を実行することを含む、移動通信デバイスにおいて実行される方法が提供される。
【０００８】
移動通信デバイスは、関連する通信デバイスに、信号の送信元である隣接セルを通知することもできる。この場合、シグナリング情報を受信するステップは、通知するステップの後に実行され得る。
【０００９】
本発明は、開示される全ての方法に関して、対応する装置において実行するための対応するコンピュータプログラム又はコンピュータプログラム製品、装置自体（ユーザ装置、ノード又はその構成要素）、及び装置を更新する方法を提供する。
【００１０】
ここで、添付の図面を参照しながら、一例として、本発明の実施形態が説明される。
【図面の簡単な説明】
【００１１】
【図１】本発明の実施形態を適用することができるタイプの移動通信システムの概略図である。
【図２】図１に示されるシステムの一部を形成する基地局の概略図である。
【図３】図１に示されるシステムの一部を形成する移動通信デバイスの概略図である。
【図４】図１に示される移動通信デバイス及び基地局において用いられるプロトコルスタックの３つの層を示す図である。
【図５ａ】測定帯域幅割当ての１つのシナリオを示す図である。
【図５ｂ】測定帯域幅割当ての１つのシナリオを示す図である。
【図６】新たな隣接セルのセル帯域幅を調べるための自動隣接関係（Automatic neighbour Relation）（ＡＮＲ）過程を示す図である。
【図７】ＡＮＲ手順が既知のセルからのセル帯域幅情報を見つけることができる方法を示す図である。
【図８】測定帯域幅の２つのシナリオを示す図である。
【図９】シグナリングメカニズムを説明する図である。
【図１０】別の例の自動隣接関係過程を説明する図である。
【図１１】さらに別の例の自動隣接関係過程を説明する図である。
【発明を実施するための形態】
【００１２】
［概説］
図１は、移動（セルラー）通信システム１を概略的に示している。該システムにおいて、移動電話（ＭＴ）３−０、３−１及び３−２のユーザが、基地局５−１又は５−２のうちの１つ及び電話網７を介して、他のユーザ（図示せず）と通信することができる。移動電話３と基地局５との間の無線リンクのために、複数のアップリンク及びダウンリンク通信リソース（サブキャリア、タイムスロット等）を利用することができる。この実施形態において、移動電話３に送信すべきデータの量に応じて、基地局５は、各移動電話３にダウンリンクリソースを割り当てる。同様に、移動電話３が基地局５に送信しなければならないデータの量及びタイプに応じて、基地局５は、各移動電話３にアップリンクリソースを割り当てる。
【００１３】
移動電話３が電力を節約するのを助けるために、各移動電話３は、ＤＲＸ／ＤＴＸパターンによって規定される所定の期間中にのみ、そのデータを受信及び送信するように、予め、且つ／又は基地局５によって構成される。それらの期間の間では、移動電話３は、電池残量を節約するために、そのトランシーバ回路の電源を切ることができるか、又は適当な周波数間／ＲＡＴ間測定、すなわち隣接セルから受信される信号に対する信号測定を行なうことができる。
【００１４】
［基地局］
図２は、この実施形態において用いられる基地局５のそれぞれの主な構成要素を示すブロック図である。図２に示されるように、各基地局５はトランシーバ回路２１を備えており、該トランシーバ回路は、１つ又は複数のアンテナ２３を介して移動電話３に対し信号を送受信するように動作することができ、且つネットワークインタフェース２５を介して電話網７に対し信号を送受信するように動作することができる。コントローラ２７が、メモリ２９に格納されるソフトウエアに従って、トランシーバ回路２１の動作を制御する。そのソフトウエアは、特に、オペレーティングシステム３１、リソース割当てモジュール３３及びダウンリンクスケジューラ３４を含む。リソース割当てモジュール３３は、各移動電話３に、アップリンク及びダウンリンク通信のための上記の通信リソースを割り当てるように動作することができ、ダウンリンクスケジューラ３４は、割り当てられたリソースに基づいて、各移動電話３へのダウンリンクデータの送信、及び移動電話５のためのアップリンク送信機会をスケジュールする。基地局５は隣接セルリスト３９も有しており、該隣接セルリストは、Ｌ１セルＩＤ及びＬ３セルＩＤのような隣接セルについてのセル情報を含む。
【００１５】
［移動電話］
図３は、図１に示される移動電話３のそれぞれの主な構成要素を示すブロック図である。図に示されるように、移動電話３は、１つ又は複数のアンテナ７３を介して基地局５に対し信号を送受信するように動作することができるトランシーバ回路７１を備える。図に示されるように、移動電話３はコントローラ７５も備えており、該コントローラは、移動電話３の動作を制御し、且つトランシーバ回路７１に接続され、スピーカ７７、マイクロフォン７９、ディスプレイ８１及びキーパッド８３に接続される。コントローラ７５は、メモリ８５内に格納されるソフトウエア命令に従って動作する。図に示されるように、これらのソフトウエア命令は、特に、オペレーティングシステム８７、アップリンクスケジューラ８９、信号測定モジュール９０及び電力制御モジュール９１を含む。アップリンクスケジューラ８９は、そのアップリンク送信のために基地局５によって移動電話３に割り当てられるリソースに従って、アップリンクデータの送信をスケジュールする役割を担い、信号測定モジュール９０は、基地局５のための周波数間及びＲＡＴ間信号測定を行なう役割を担い、電力制御モジュールは、ＤＲＸ／ＤＴＸオフ期間中にトランシーバ回路７１の電源を切る役割を担う。
【００１６】
理解するのを容易にするために、上記の説明では、基地局５及び移動電話３は、（リソース割当てモジュール、スケジューラモジュール、電力制御モジュール及び信号測定モジュールのような）複数の個別のモジュールを有するものとして説明される。例えば、既存のシステムが本発明を実施するように変更されている特定のアプリケーションに対して、このようにこれらのモジュールが提供される場合があるが、他のアプリケーション、例えば、最初から本発明の特徴を念頭において設計されたシステムでは、これらのモジュールは、オペレーティングシステム又はコード全体の中に構成することができるので、これらのモジュールは個別のエンティティとして区別することができない場合がある。
【００１７】
［プロトコル］
図４は、移動電話３及び基地局５において用いられるプロトコルスタックの一部（下位の３つの層）を示す。第１の層は物理層（Ｌ１）であり、無線通信チャネルを介してデータを実際に送信する役割を担う。その上には第２の層（Ｌ２）があり、Ｌ２は３つの副層、すなわち、無線インタフェースへのアクセスを制御する役割を担う媒体アクセス制御層（Ｌ２／ＭＡＣ）と、必要に応じて、データパケットの連結及びセグメント化、パケットの肯定応答、並びにデータパケットの再送の役割を担う外部ＡＲＱ層（Ｌ２／外部ＡＲＱ）と、ヘッダ圧縮及び暗号化の役割を担うＰＤＣＰ層（Ｌ２／ＰＤＣＰ）とに分割される。第２の層上には、基地局５と移動電話３との間の無線インタフェースにおいて用いられる無線リソースを制御する役割を担う無線リソース制御（ＲＲＣ）層（Ｌ３／ＲＲＣ）がある。図に示されるように、Ｌ２／外部ＡＲＱ層は、Ｃプレーンデータ及びＵプレーンデータの送信を管理するために用いられる複数の外部ＡＲＱエンティティ９５を含み、Ｌ２／ＰＤＣＰ層は、Ｃプレーン及びＵプレーンデータを処理するために用いられるＰＤＣＰエンティティ９７を含む。
【００１８】
図４は、送信すべきデータの各データ源に割り当てられる無線ベアラ９８も示す。いくつかのソフトウエアアプリケーションが、同時に動作していることがあり、各アプリケーションがデータを送信及び／又は受信していることがある。それぞれの無線ベアラは、各タスクに関連付けられることになり、いくつかの無線ベアラは、他の無線ベアラよりも高い優先度を割り当てられる。例えば、リアルタイムサービスに割り当てられる無線ベアラは、非リアルタイムサービスに割り当てられる無線ベアラよりも高い優先度を割り当てられる。アップリンクのために基地局５によって割り当てられる通信リソースは、その割り当てられる優先度及びデータ速度に応じて、無線ベアラ９８間で共有される。ＲＲＣ層９６は、無線ベアラ９８毎にデータ速度及び優先度を設定する。その後、アップリンクスケジューラ８９は、ＲＲＣ層９６によって無線ベアラに割り当てられたデータ速度及び優先度に基づいて、各無線ベアラ９８のデータパケットの送信のためのスケジューリングを制御する。
【００１９】
［ＵＥ測定帯域幅］
先に検討されたように、ＲＡＮ１における現在の作業仮説は、周波数内（intra frequency）測定を実行するための移動電話の測定帯域幅が、１．２５ＭＨｚ（６リソースブロックに相当する）であるということである。したがって、移動電話３は、隣接セルの帯域幅に関係なく、あらゆる場合に、１．２５ＭＨｚの既定帯域幅を測定する。本出願において、本発明者らは、可能であるならいつでも、より広い測定帯域幅を利用することを提案し、これを果たすために必要な関連するシグナリングが後に検討される。より具体的には、本実施形態において、移動電話３は、取り得る最大帯域幅にわたって測定を実行するように構成され、その帯域幅は、測定が行なわれている隣接セル（サービス提供するセルを含む）の最小帯域幅である。
【００２０】
図５は２つのシナリオを示す。
１）図５ａのシナリオでは、３つの隣接セルが異なる帯域幅を有し、移動電話の測定帯域幅は、最小帯域幅を有するセルの帯域幅に相当する。
２）図５ｂのシナリオでは、全ての隣接セルが同じ帯域幅を有し、その帯域幅はサービス提供するセルの帯域幅よりも広く、移動電話３は、サービス提供するセルの帯域幅（監視されている全てのセルの最小帯域幅である）にわたって測定を実行する。
【００２１】
［シグナリングメカニズム］
この実施形態において、サービス提供する基地局５は、測定を行なうときに移動電話３が使用すべきである測定帯域幅を通知する。基地局５は、ＲＲＣ測定制御メッセージを用いて、これを果たす。これを果たすことができるようにするために、サービス提供する基地局５は、全ての隣接セルのセル帯域幅を知る必要があり、この実施形態では、この情報は、隣接セルリスト３９内に格納される。
【００２２】
隣接セルリスト３９の初期情報は典型的には、ネットワークの運用及び管理（Ｏ＆Ｍ）機能によって提供される。しかしながら、新たなセルが追加されるか又は古いセルが除去されるのに応じて、隣接セルは時間と共に変化する。基地局５がサービス提供している移動電話３によって新たなセルが特定されるのに応じて、基地局５は、自動隣接関係（ＡＮＲ）手順を用いて、これらのセル変化を特定することができる。例えば、移動電話３のうちの１つから受信される測定報告が、新たなセル（すなわち、基地局によって認識されず、基地局の隣接セルリスト３９において現れないセル）を特定することができる。測定報告が行われる場合には、サービス提供するセルの基地局５は、移動電話３によって報告される新たなセルがあることを検出する。それに応答して、基地局５は、移動電話３に、新たなセルのＬ３（ブロードキャスト）セルＩＤを報告するように命令する。これが得られると、基地局５は、受信されたＬ３セルＩＤを用いて、新たなセルの基地局５のためのトランスポート層アドレス（例えば、ＩＰアドレス）を調べる。その後、サービス提供する基地局は、（まだ利用できない場合には）この基地局に向けて新たなＸ２インタフェースを設定する。Ｘ２インタフェースが設定されると、この基地局は、新たに設定されたＸ２インタフェースを介してその基地局が制御するセル毎に、サービス提供する基地局に以下の情報を送信する。
１）層１セルＩＤ
２）層３セルＩＤ
３）測定帯域幅
【００２３】
その後、サービス提供する基地局５は、新たに検出されたセルを用いて、その隣接セルリスト３９を更新し、将来に使用するために、同じノードによって制御される他のセルに関連する層１、層３、及び測定帯域幅情報を格納する。この過程が図６において図式的に示される。ただし、基地局１はサービス提供する基地局であり、基地局２は、移動電話３によって検出される新たなセルを制御する基地局である。
【００２４】
こうして、この過程の終了時に、隣接セルリスト３９は、表１において示される以下の情報を含む。
【００２５】
【表１】
0005382389.tif 000002
【００２６】
その後、サービス提供する基地局５は、隣接セルリスト３９内の帯域幅情報を用いて、その基地局がサービス提供している移動電話３が測定すべきである最大測定帯域幅を求める。その後、この情報は、後に周波数内測定が設定される測定制御メッセージにおいて、移動電話３に通知される。当業者には理解されるように、新たなセルが特定されてその帯域幅が隣接セルリスト３９に追加されるときに、この結果として、基地局５は、自身がサービス提供する移動電話３の測定帯域幅を再構成する場合がある。このようにして、基地局５は、それらの基地局がサービス提供する移動電話３の測定帯域幅を動的に規定する。
【００２７】
［ホワイトリスト］
隣接セル情報３９は、ホワイトリスト及びブラックリストを含む。移動電話３が移動先として利用することができるセルはホワイトリストにあり、一方、利用することができないか、又はネットワークが認識しないセルはブラックリストにある。移動電話３によって用いられることになる測定帯域幅を求めるときに、基地局５は、ホワイトリスト上にあるセルの既知の帯域幅だけに基づいて、測定帯域幅を求める。
【００２８】
当業者には理解されるように、運用及び管理機能が初期設定時に帯域幅情報を提供しない場合、基地局５は、Ｘ２共通メッセージを通して、この情報を調べることができ、受信された帯域幅情報を用いて、そのデータベースを更新する（これは、ＢＷ情報だけを更新する通常のシグナリングであり、ＡＮＲ機能を呼び出さない）。この過程が図７に示される。その後、移動電話３によって新たな（基地局３に属する）セルが検出される場合には、基地局１は、ＡＮＲ機能を用いて、基地局３によって制御されるセルに関するセル情報を入手及び追加しようとすることができる。
【００２９】
この構成の利点の１つは、移動電話３が同じ基地局５に属する他のセルに関する報告を送信するときに、基地局５が層１セルＩＤと層３セルＩＤとの間のマッピングを既に有することである。それゆえ、移動電話３は、既知の基地局に属する新たなセルのＢＣＨを読み取る必要はない。別の利点は、基地局５の全てのセルについての全ての情報を１つのＸ２共通メッセージ内で提供できることである。
【００３０】
［変更形態及び代替形態］
詳細な実施形態が上記で説明されてきた。当業者には理解されるように、該実施形態において具現される本発明から依然として利益を享受しながら、上記の実施形態に対する複数の変更形態及び代替形態を実施できる。例示にすぎないが、ここで、いくつかのこれらの代替形態及び変更形態を説明する。
【００３１】
上記の実施形態において、移動電話を基にする通信システムが説明された。当業者には理解されるように、本出願において説明されるシグナリング及びハンドオーバ技法は任意の通信システムにおいて利用できる。詳細には、これらのハンドオーバ技法の多くは、データを搬送するために電磁信号又は音響信号のいずれかを用いる有線系又は無線系通信システムにおいて用いることができる。一般的な事例において、基地局及び移動電話は、互いに通信する通信ノード又はデバイスと見なすことができる。ｅＮｏｄｅＢ内ハンドオーバでは、ソース及びターゲット通信ノードは、１つの基地局内の個々のスケジューリングエンティティによって形成される。他の通信ノード又はデバイスは、例えば、携帯情報端末、ラップトップコンピュータ、ウエブブラウザ等のようなユーザデバイスを含み得る。
【００３２】
上記の実施形態では、複数のソフトウエアモジュールが説明された。当業者には理解されるように、それらのソフトウエアモジュールはコンパイルされた形で又はコンパイルされない形で与えられる場合があり、コンピュータネットワーク上の信号として又は記録媒体において、基地局に又は移動電話に供給される場合がある。さらに、このソフトウエアの一部又は全てによって実行される機能は、１つ又は複数の専用のハードウエア回路を用いて実行されてもよい。しかしながら、それらの機能を更新するために、基地局５及び移動電話３を更新することを容易にするので、ソフトウエアモジュールを用いることが好ましい。
【００３３】
当業者には種々の他の変更形態が明らかになり、ここでは、さらに詳しくは説明されない。
【００３４】
３ＧＰＰ用語の用語集
ＬＴＥ  −  （ＵＴＲＡＮの）ロングタームエボリューション
ｅＮｏｄｅＢ  −  Ｅ−ＵＴＲＡＮノードＢ
ＵＥ  −  ユーザ装置  −  移動通信デバイス
ＤＬ  −  ダウンリンク  −  基地局から移動局へのリンク
ＵＬ  −  アップリンク  −  移動局から基地局へのリンク
ＭＭＥ  −  移動管理エンティティ
ＵＰＥ  −  ユーザプレーンエンティティ
ＨＯ  −  ハンドオーバ
ＲＬＣ  −  無線リンク制御
ＲＲＣ  −  無線リソース制御
ＲＲＭ  −  無線リソース管理
ＳＡＥ  −  システムアーキテクチャエボリューション
Ｃ−ＲＮＴＩ  −  セル無線ネットワーク一時識別子
ＳＩＢ  −  システム情報ブロック
Ｕ−ｐｌａｎｅ  −  ユーザプレーン
Ｘ２  Ｉｎｔｅｒｆａｃｅ  −  ２つのｅＮｏｄｅＢ間のインタフェース
Ｓ１  Ｉｎｔｅｒｆａｃｅ  −  ｅＮｏｄｅＢとＭＭＥとの間のインタフェース
ＴＡ  −  トラッキングエリア
ＥＰＣ  −  発展型パケットコア
ＡＳ  −  アクセス階層
ＲＮＬ  −  無線ネットワーク層
ＴＮＬ  −  トランスポートネットワーク層
ＲＡＣＨ  −  ランダムアクセスチャネル
ＭＵ  ＭＩＭＯ  −  マルチユーザ多入力多出力
ＤＭＲＳ  −  復調参照信号フォーマット
ＭＣＳ  −  変調及び符号化方式
【００３５】
以下は、本発明を現在提案されている３ＧＰＰ  ＬＴＥ標準規格において実施することができる方法の詳細な説明である。種々の特徴が不可欠であるか又は必要であるものとして説明されるが、これは、例えば、その標準規格によって課せられる他の要件に起因して、提案されている３ＧＰＰ  ＬＴＥ標準規格の場合にのみ当てはまることがある。それゆえ、ここで述べることは、本発明を限定するものとは決して解釈されるべきではない。
【００３６】
［序論］
ＲＡＮ１における現在の作業仮説は、周波数内測定を実行するために、１．２５ＭＨｚ（６ＲＢ）において測定帯域幅が用いられるということである。しかしながら、本発明者らは、全ての隣接セルが、≧１０ＭＨｚのＢＷを有する場合には、１．２５ＭＨｚの既定ＢＷを用いる代わりに、ＵＥが取り得る最大ＢＷ（例えば、１０ＭＨｚ）において測定を実行できることが有益であるものと考える。
【００３７】
本稿において、本発明者らは、ＵＥが隣接セルにおいてＲＳＲＰ及びＲＳＳＩ測定を実行することができる、取り得る最大ＢＷを求めることに関するメカニズムについて検討する。
【００３８】
［検討］
ＲＡＮ１の現在の仮説によれば、ＵＥは、隣接セルのＢＷに関係なく、いかなる場合でも１．２５ＭＨｚの既定ＢＷを測定するであろう。本稿において、本発明者らは、可能であるならいつでも、より広い測定帯域幅を利用することを示唆し、関連付けられるシグナリングを検討する。
【００３９】
図８のシナリオ１は、異なるＢＷを有する３つの隣接セルが示される事例を示す。ＵＥは、隣接セルのうちで最小のＢＷにおいて測定を実行すべきである。シナリオ２では、全ての隣接セルが、例えば２０ＭＨｚの同じＢＷを有するが、サービス提供するセルのＢＷは、例えば１０ＭＨｚであり、この場合、サービス提供するセルに対する隣接セルの信号強度を比較するために、ＵＥは１０ＭＨｚＢＷにおいて測定を実行すべきである。
【００４０】
４．１  シグナリングメカニズム
ＲＲＣ測定制御メッセージを用いて、ＵＥに測定ＢＷを通知するために、ｅＮＢが、隣接セルリスト内のセル毎に、その関連するセル帯域幅情報を維持することが提案される。
【００４１】
図９において、そのメカニズムの概説を参照されたい。
【００４２】
ホワイトリスト内のセルに関して、ｅＮＢは、Ｏ＆Ｍによって（図１０）、又は一旦Ｘ２接続が設定されると、Ｘ２を介して隣接するｅＮＢによって（図１１）、測定帯域幅関連情報を入手する。
【００４３】
ＡＮＲ（自動隣接関係）機能によって新たに追加されるセルに関して、測定帯域幅情報は、Ｘ２共通メッセージを介して入手される。
【００４４】
このメカニズムを用いるとき、ｅＮＢは、隣接セルＢＷ情報を利用して、ＵＥが測定すべきである最大測定ＢＷを求めることができる。その後、周波数内測定を設定している間に、測定制御メッセージにおいて測定ＢＷを通知することができる。ＡＮＲメカニズムは、［Ｒ３−０７１８１９］において説明される。そのメカニズムの概要が以下に報告される。
１．ＵＥは、検出されたセルの信号強度に関する測定報告を送信する。この報告は、検出されたセルの層１識別子を含む。
２．サービス提供するセルｅＮＢが、ＵＥによって隣接セルとして報告される新たなセルが存在することを検出する場合には、そのｅＮＢは、以下のことをすべきである。
ａ．ＵＥにＬ３セルＩＤを報告するように命令する。
ｂ．Ｌ３セルＩＤを用いて、新たなｅＮｏｄｅＢへのトランスポート層アドレスを調べる。
ｃ．必要な場合には、このｅＮｏｄｅＢに対して新たなＸ２インタフェースを設定する。
ｄ．その隣接セル関係リストを更新する。
また、このメカニズムは、以下のように、ＡＮＲメカニズムを最適化する。
・ＡＮＲ機能に起因して、或る特定のｅＮＢに対してｘ２接続が設定されると、新たな隣接セルｅＮＢは、新たに設定されたＸ２インタフェースを介してそのｅＮＢが制御するセルに関連する以下の情報を送信する。
・層１セルＩＤ
・層３セルＩＤ
・測定帯域幅
結果として、
・ＵＥが同じｅＮＢに属する他のセルに関する報告を送信するときに、ｅＮＢが層１セルＩＤと層３セルＩＤとの間のマッピングを既に有する。それゆえ、この場合、ＵＥはＢＣＨを読み取らない。
・ｅＮＢ当たり１つのＸ２共通メッセージしか必要とされない。
【００４５】
［結論］
本稿において、本発明者らは、ＵＥが、隣接セルに対するＲＳＲＰ及びＲＳＳＩ測定を実行することができる、取り得る最大ＢＷを求めることに関する簡単なメカニズムを提案する。ＲＳＳＩ測定は、帯域幅が広くなると、間違いなく利益を得ることになるが、ＲＳＲＰ測定に関する利点は、さらに研究される必要がある。
【００４６】
そのメカニズムを検討し、それに応じて、ステージ２／ステージ３仕様を更新することを提案する。
【００４７】
本出願は、２００７年１０月２９日に出願の英国特許出願第０７２１１５５．０号に基づいており、その特許出願からの優先権の利益を主張し、その特許出願の開示は参照によりその全体が本明細書に援用される。
【図１】
0005382389.tif 000003
【図２】
0005382389.tif 000004
【図３】
0005382389.tif 000005
【図４】
0005382389.tif 000006
【図５ａ】
0005382389.tif 000007
【図５ｂ】
0005382389.tif 000008
【図６】
0005382389.tif 000009
【図７】
0005382389.tif 000010
【図８】
0005382389.tif 000011
【図９】
0005382389.tif 000012
【図１０】
0005382389.tif 000013
【図１１】
0005382389.tif 000014